(57)【特許請求の範囲】
【請求項１】
Ｖ字状の溝部を備えたプーリーと、このプーリー上にオイルを滴下する滴下装置とを備え、上記プーリーの溝部を線速６００〜１２００ｍ／ｍｉｎで通過するスチールワイヤにオイルを塗布するスチールワイヤ用オイル塗布装置において、上記プーリーの溝部の溝底幅をスチールワイヤの径の２倍以上１０倍以下としたことを特徴とするスチールワイヤ用オイル塗布装置。
【請求項２】
上部に開口部を有するオイルボックスと、このオイルボックスに連通するオイル排出路とを備えたオイル滴下装置を上記プーリーの上方に配設し、プーリーの下方にオイル溜りを設置するとともに、上記プーリーに、その先端部が上記オイル溜り内までに延長する、上記プーリーに連動して回転する羽根付き円盤を取り付けたことを特徴とする請求項１に記載のスチールワイヤ用オイル塗布装置。
【発明の詳細な説明】
【０００１】
【発明の属する技術分野】
本発明は、伸線処理されたスチールワイヤ表面にオイルを塗布するためのスチールワイヤ用オイル塗布装置に関するものである。
【０００２】
【従来の技術】
車両用スチールラジアルタイヤなどに使用されるゴム物品補強用スチールコードは、通常、高炭素鋼材などから成る素線を湿式伸線法により所望の線径に伸線処理した後、複数本撚り合わせて作製される。
ところで、上記伸線工程後、各素線を撚り合わせる工程において、伸線されたスチールワイヤを巻き出して撚り合わせるまでに、複数のガイドを通過するが、このガイド部分ではワイヤが擦られるため、ワイヤのすべりが悪いと抵抗が大きくなり、撚り点の各ワイヤのテンションレベルがばらついてしまい、スチールコードの狙いのクセ付け・構造に撚り合わされず、不良を発生させる要因となる。
【０００３】
そこで、上記ワイヤの巻き出しテンションを安定化させるために、伸線処理されたスチールワイヤ表面にオイルを塗布してワイヤのすべりを良くするようにしている。
従来、湿式伸線工程で用いられるオイル塗布装置としては、例えば、図３に示すような、巻き取られるスチールワイヤ１が通過するＶ溝５１Ｖを有するプーリー（以下、Ｖプーリーという）５１の上方にオイル滴下装置５２を配設し、オイル供給装置５２Ｐから供給されるオイル２を上記Ｖプーリー５１上へ滴下して、上記ワイヤ１の表面へオイル２を付着させるものがある。このオイル塗布装置５０では、オイル滴下装置５２からのオイル滴下量をコントロールすることにより、上記ワイヤ１へのオイル２の付着量が自由に調整できるので、狙いのオイル付着量を塗布したワイヤを容易に得ることができる。
【０００４】
【発明が解決しようとする課題】
しかしながら、上記従来のオイル塗布装置５０を使用してオイル付着量を増加させようとした場合、オイル滴下量を多くすると、滴下されたオイル２がＶプーリー５１上でかたまりとなって上記Ｖプーリー５１外へ勢い良く飛散してしまう。このため、スチールワイヤ１へのオイル付着量が極端に低下してしまい、後工程である撚り線工程においてすべり不良を起こし、撚り乱れが発生するといった問題点があった。
【０００５】
本発明は、上記問題点を解決するためになされたもので、オイル滴下量を増加させた場合でも、スチールワイヤ表面に所定量のオイルを安定して塗布することのできるスチールワイヤ用オイル塗布装置を提供することを目的とする。
【０００６】
【課題を解決するための手段】
本発明者は、鋭意検討を重ねた結果、Ｖプーリー上へオイルを滴下する方式のオイル塗布装置においては、オイルを多量に滴下した場合、滴下されたオイルがかたまりとなってＶプーリー外へ飛散するのは、溝底部ではオイルに作用する遠心力自体は小さいが、オイル量が少なくＶ溝への付着力が弱いため、大きな遠心力の作用するプーリー端（溝の最上部端）のオイルに引きずられて一緒になって飛散するためで、溝底部を平坦にして溝底部のオイル量を増やせば、滴下されたオイルは上記溝底部に保持され易くなり、上記オイルの飛散を抑制することができることを見いだし、本発明に到ったものである。
すなわち、請求項１に記載の発明は、Ｖ字状の溝部を備えたプーリーと、このプーリー上にオイルを滴下する滴下装置とを備え、上記プーリーの溝部を線速６００〜１２００ｍ／ｍｉｎで通過するスチールワイヤにオイルを塗布するスチールワイヤ用オイル塗布装置において、上記プーリーの溝部の溝底幅を上記スチールワイヤの径の２倍以上１０倍以下としたことを特徴とするもので、これにより、オイル滴下量を増加させた場合でも、スチールワイヤ表面に所定量のオイルを安定して塗布することが可能となる。  
【０００７】
請求項２に記載の発明は、請求項１に記載のスチールワイヤ用オイル塗布装置であって、上部に開口部を有するオイルボックスと、このオイルボックスに連通するオイル排出路とを備えたオイル滴下装置を上記プーリーの上方に配設し、プーリーの下方にオイル溜りを設置するとともに、上記プーリーに、その先端部が上記オイル溜り内までに延長する、上記プーリーに連動して回転する羽根付き円盤を取り付け、上記プーリー上に、上記オイル排出路からオイルボックス内のオイルを滴下して上記スチールワイヤ表面にオイルを供給するとともに、上記プーリーに連動して回転する上記羽根付き円盤の羽根部により、オイル溜りのオイルを上記オイルボックスの開口部近傍まで跳ね上げて、滴下されたオイルの一部を回収するようにしたものである。
【０００８】
【発明の実施の形態】
以下、本発明の実施の形態について、図面に基づき説明する。
図１（ａ），（ｂ）は本発明の実施の形態に係るスチールワイヤ用オイル塗布装置１０の構成を示す図で、同図において、１１はその外周部に高速で巻き取られるスチールワイヤ１が通過する溝部１１ａが形成されたプーリー、１２は上記プーリー１１の上方に配設され、オイル供給装置１２Ｐから供給されるオイル２を上記プーリー１１上に滴下するオイル滴下装置である。
このオイル塗布装置１０は、スチールワイヤ１が伸線工程の最終引き抜きダイスを出て撚線機の巻取装置で巻き取られるまでの間の、所定の位置に設置されるもので、巻き取られるスチールワイヤ１との摩擦力により上記プーリー１１が回転するように、所定角以上スチールワイヤ１と接触させてセッティングする。
本例では、オイルが滴下されて上記スチールワイヤ１に接触するまでの間、溝部１１ａにオイルが保持されるよう、上記プーリーの溝部１１ａを従来のＶ溝ではなく、スチールワイヤ１の径ｄよりも広い溝底幅ＰＷを有する溝底部１１ｚを設けて、スチールワイヤ１へのオイル付着量を安定させるようにしている。したがって、オイル滴下装置１２から滴下されたオイル２は上記溝底部１１ｚに十分保持されるので、オイル滴下量を増加させた場合でも、スチールワイヤ１の表面に所定量のオイルを安定して塗布することができる。
【０００９】
上記溝部１１ａの溝底幅ＰＷの大きさとしては、スチールワイヤ１の径をｄとしたとき、下記の式で表わせる範囲とすることが望ましい。
ｄ×２≦ＰＷ≦ｄ×１０
プーリーの溝底幅ＰＷがスチールワイヤ１の径ｄの２倍未満と狭い場合には、オイル２が滴下されてスチールワイヤ１に接触するまでの間に溝底部１１ｚにオイル２を十分に保持できず、オイル２は遠心力で飛散してしまう。また、溝底幅ＰＷがスチールワイヤ１の径ｄの１０倍を超えると、飛散した残りのオイルは溝部１１ａの溝底部１１ｚに溜まるものの、溝底の面積が広すぎてオイル２が不均一に散在するため、スチールワイヤ１へのオイル付着量が少なくなるだけでなく、付着量のバラツキも大きくなってしまう。
上記の範囲のプーリー溝底幅であれば、多量にオイルを滴下した場合でも、オイルがスチールワイヤと接触するまでの間、溝底にオイルを均一に保持することができ、ワイヤの表面に所定量のオイルを安定して塗布することができる。また、滴下するオイル量が少量であっても、従来のＶプーリーよりも安定してオイルを塗布することができる。
【００１０】
このように、本実施の形態によれば、溝部を備えたプーリー上にオイルを滴下するスチールワイヤ用オイル塗布装置に使用されるプーリーとして、溝底幅ＰＷが、スチールワイヤ１の径をｄとしたとき、式；ｄ×２≦ＰＷ≦ｄ×１０で表わせる範囲の幅を有する溝部１１ａが形成されたプーリー１１を用いるようにしたので、オイル滴下量を増加させた場合でも、スチールワイヤ１の表面に所定量のオイルを安定して塗布することができ、スチールワイヤ１の巻き出しテンションを安定化させることができる。
【００１１】
なお、上記実施の形態では、オイル滴下装置１２として、オイル供給装置１２Ｐから所定量のオイル２が供給されるものを用いたが、これに代えて、図２に示すように、上部に開口部１３ａを有するオイルボックス１３と、このオイルボックス１３に連通するオイル排出路１４とを備えたオイル滴下装置１２Ａをプーリー１１の上方に配設し、プーリー１１の下方に、オイルタンク１６からホース１７を介して供給されるオイル２が収納されたオイル溜り１５を設置するとともに、上記プーリー１１に、その先端部が上記オイル溜り１５内までに延長する、上記プーリー１１に連動して回転する羽根付き円盤１８を取り付けたオイル塗布装置１０Ａを用いてもよい。これにより、プーリー１１上にオイル２を滴下してスチールワイヤ１の面にオイル２を供給するとともに、上記プーリー１１に連動して回転する上記羽根付き円盤１８の羽根部１８ｋにより、オイル溜り１５のオイル２を上記オイルボックス１３の開口部１３ａ近傍まで跳ね上げ、滴下されたオイル２の一部を回収することができるので、簡単な構成でスチールワイヤ１に安定して適量のオイル２を塗布することができる。
【００１２】
＜実施例＞
伸線工程にて０．１０〜０．４０ｍｍの線径に仕上げられたスチールワイヤを線速６００〜１２００ｍ／ｍｉｎの高速で巻き取る間に、本発明によるワイヤの径の２倍〜１０倍の溝底幅を有する溝底部を形成したプーリーを用いたオイル塗布装置１０Ａを設置し、プーリーへのオイル滴下量を変化させて上記スチールワイヤへオイルを塗布した後、ワイヤ表面のオイル付着量を調べた結果を以下の表１に、オイル付着量のバラツキσを調べた結果を以下の表２に示す。また、比較のため、従来のＶプーリーを用いたものと、溝底幅ＰＷが上記範囲から外れたものについても、同様の試験を行った結果も併せて示す。
【表１】
0004034070.tif 000002
【表２】
0004034070.tif 000003
表１から明らかなように、従来のＶプーリーを用いたオイル塗布装置では、オイル滴下量を多く（同図の垂れ流し状態）すると、ワイヤへのオイル付着量が極端に低下するが、本発明によるプーリーを用いた実施例１，２では、オイル滴下量を多くしても、オイル付着量は低下せず、オイル付着量のバラツキσも従来例より小さいことから、オイル滴下量を増加させた場合でも、スチールワイヤの表面に所定量のオイルを安定して塗布することができることが確認された。
また、溝底幅ＰＷを狭くした比較例１ではワイヤへのオイル付着量が低下してしまい、付着量のバラツキσも従来例と同程度で、溝底幅ＰＷを広くした比較例２ではワイヤへのオイル付着量の低下は少ないものの、付着量のバラツキσは従来例よりも大きくなった。
【００１３】
【発明の効果】
以上説明したように、本発明によれば、Ｖ字状の溝部を備えたプーリー上にオイルを滴下して、上記プーリーの溝部を線速６００〜１２００ｍ／ｍｉｎで通過するスチールワイヤにオイルを塗布するオイル塗布装置において、上記プーリーの溝部の溝底幅を上記スチールワイヤの径の２倍以上１０倍以下に形成したので、オイル滴下量を増加させた場合でも、スチールワイヤ表面に所定量のオイルを安定して塗布することができ、スチールワイヤの巻き出しテンションを安定化させることができる。
【図面の簡単な説明】
【図１】  本実施の形態に係るスチールワイヤ用オイル塗布装置の構成を示す図である。
【図２】  本発明によるスチールワイヤ用オイル塗布装置の他の構成を示す図である。
【図３】  従来のオイル塗布装置の構成を示す図である。
【符号の説明】
１  スチールワイヤ、２  オイル、１０，１０Ａ  スチールワイヤ用オイル塗布装置、１１  プーリー、１１ａ  溝部、１１ｚ  溝底部、１２，１２Ａ  オイル滴下装置、１３  オイルボックス、１３ａ  オイルボックスの開口部、１４  オイル排出部、１５  オイル溜り、１６  オイルタンク、１７  ホース、１８  羽根付き円盤、１８ｋ  羽根部。
【図１】
0004034070.tif 000004
【図２】
0004034070.tif 000005
【図３】
0004034070.tif 000006